(57)【特許請求の範囲】
【請求項１】
一端にモータが取り付けられた板状部を有する枠体と、前記モータの回転軸に結合されたギヤ部を有する駆動プーリと、前記枠体の他端に回転可能に配設された従動プーリと、前記駆動プーリと従動プーリとの間に張架され、前記ギヤ部と噛み合う歯部を有する環状のベルトと、このベルトに結合された移動体が前記モータの回転に伴って前記枠体の長手方向に移動することにより抵抗値が調整されるように前記枠体に取り付けられた可変抵抗器部とを備え、前記枠体は、前記板状部と略直交して前記移動体の移動方向に延びる側壁を有すると共に、前記枠体の他端には、該枠体の長手方向に移動可能な可動部材が設けられ、前記可動部材は、前記枠体の板状部に重ねられる板状の積層部と前記枠体の側壁により案内されるガイド部とを有し、前記ガイド部は、前記積層部と略直交する板状に形成され、前記枠体に形成されたスリットに挿通されて前記枠体の長手方向に案内され、前記積層部には、前記従動プーリを回転可能に軸支する支柱が固定されると共に、前記支柱の固定位置とは異なる位置にネジにより固定される取付部が形成され、前記積層部が前記板状部の長手方向に沿って長くなるように該板状部に形成された貫通部を介して前記ネジにより前記板状部に固定されたことを特徴とするモータ駆動式スライド型可変抵抗器。
【請求項２】
前記可動部材は金属板からなり、この金属板を折り曲げ加工することにより前記積層部と前記ガイド部を形成し、前記可動部材の積層部には、前記ネジを取り付けるための前記取付部としてのネジ溝部を設け、前記枠体の板状部を挟んで前記ネジを前記ネジ溝部に締め付けたときに、前記ガイド部が前記枠体の側壁側に押し付けられるように、前記ガイド部を前記側壁と前記ネジ溝部との間に位置させたことを特徴とする請求項１記載のモータ駆動式スライド型可変抵抗器。
【請求項３】
前記支柱により前記可動部材に軸支される前記従動プーリは、前記支柱が挿通されて回転可能に支持される筒状の軸部と、この軸部よりも大きな径を有し、前記ベルトが外周部に張架される筒状のベルト張架部とを備え、このベルト張架部の内周部と前記支柱との間に互いの当接を防止する空間部を設けたことを特徴とする請求項１または２に記載のモータ駆動式スライド型可変抵抗器。
【発明の詳細な説明】
【技術分野】
【０００１】
本発明は、音響機器用ミキサー等に使用されるモータ駆動式スライド型可変抵抗器に関する。
【背景技術】
【０００２】
従来のモータ駆動式スライド型可変抵抗器の構造としては、細長い断面Ｌ字状の枠体と、この枠体に設けられた直線状スリットに、操作レバーが挿通されたスライド型可変抵抗器と、この枠体の長手方向の一端に固定された回転軸の先端に歯付プーリが装着されたモータと、枠体の他端に回転可能に取り付けられた従動プーリと、これら歯付プーリと従動プーリの間に張架され、その中間部が前記操作レバーに固定されたリング状の歯付ベルトとを有する構成のものが知られている（例えば、特許文献１参照）。
【０００３】
この従来のモータ駆動式スライド型可変抵抗器の構造を図１１乃至図１３に示す。図１１は従来のモータ駆動式スライド型可変抵抗器の斜視図、図１２は従来のモータ駆動式スライド型可変抵抗器の従動プーリ取付け部の断面図、図１３は他の構成となる従動プーリ取付け部の斜視図である。
【０００４】
図において、４８は金属板を加工して形成された細長い断面Ｌ字形で、その平板部の中間部の長手方向に沿って直線状スリット４８Ｂを有する枠体であり、その平板部の中央下面には長手方向に沿ってスライド型可変抵抗器３２がビス４８Ａにより取り付けられると共に、上記長手方向の一端にはモータ３３がその回転軸３３Ａを垂直にしてモータ固定用ビス３３Ｂにより取り付けられ、その回転軸３３Ａの先端には歯付きプーリ３４が装着されている。
【０００５】
そして、枠体４８の他端には、上記歯付きプーリ３４と対向して従動プーリ３５が、枠体４８に固定ネジ４１で取付けられた円柱状の鋲４６に回転可能に取り付けられ、歯付きプーリ３４と従動プーリ３５の間にはリング状の歯付きベルト３６が張架されると共に、その中間部は樹脂製の結合体３８を介してスライド型可変抵抗器３２の操作レバー３７に固定されている。
【０００６】
そして、このスライド型可変抵抗器３２は、手動操作式のスライド型可変抵抗器であり、上記枠体４８の平板部の長手方向の直線状スリット４８Ｂを通って上方へ突出した上部の操作レバー３７が、枠体４８の長手方向に直線動可能となるように枠体４８の下面に２箇所のビス４８Ａで取り付けられている。
【０００７】
そして、上記スライド型可変抵抗器３２は、操作レバー３７の先端に装着されたつまみ（図示せず）を介して手動で動かす方法と枠体４８に取り付けられたモータ３３で回転軸３３Ａに装着された歯付きプーリ３４を回転させ、結合体３８を介して歯付きベルト３６に接続された操作レバー３７を動かす方法がある。
【０００８】
そして、従動プーリ３５を回転可能に保持する鋲４６は、円柱状の鋲４６の底面に、固定用のネジ穴４６Ａを設け、上面には回転調整用の溝４６Ｂが設けられている。この鋲４６は枠体４８に固定ネジ４１で固定されている装着軸芯に対し、回転可能に保持している従動プーリ３５の回転軸芯が異なるように構成されている。
【０００９】
歯付きベルト３６の張り具合を調整する場合には、鋲４６は枠体４８下面から固定ネジ４１で仮止めされており、枠体４８に取り付けられる鋲４６の上面に設けられた回転調整用の溝４６Ｂを用いて、マイナスドライバー等で鋲４６を回転させることにより、従動プーリ３５の回転軸芯は鋲４６の装着軸芯と偏芯しているので、従動プーリ３５は枠体４８に取り付けられた鋲４６の装着軸芯を中心に円を描くように移動することとなり、従動プーリ３５と歯付きプーリ３４の間隔を可変させることができる。
【００１０】
つまり、歯付きプーリ３４と従動プーリ３５の間に張架した歯付きベルト３６の張り具合を容易に調整することができ、操作レバー３７の動作スピードを所望の状態に調整できる。そして、この所望の動作スピードとなるように調整した後、仮止め状態であった鋲４６を枠体４８下面の固定ネジ４１でさらに締め付け固定する。
【００１１】
なお、図１３の他の構成となる従動プーリ取付け部の斜視図は、円柱状の鋲５２が装着される枠体５０の取り付け孔５０Ａを、枠体５０の直線状スリット５１（図示せず）と同じ長手方向に延びた長円形とした場合を示すものであり、歯付きプーリ３４と従動プーリ３５の間に張架した歯付きベルト３６の張り具合を、鋲５２の枠体５０への取付位置を上記取り付け孔５０Ａ内で長手方向に可変させて調整できるようにしたものであり、この構成によっても操作レバー３７の動作スピードを調整することができる。
【００１２】
【特許文献１】特開２００３−１７３９０３号公報
【発明の開示】
【発明が解決しようとする課題】
【００１３】
しかしながら、従来のモータ駆動式スライド型可変抵抗器の構造においては、鋲には回転する従動プーリが挿通されているため、使用していくうちに、鋲も少しずつ回転し、鋲の取り付け位置が変わることにより、調整したベルトのテンション（張り具合）が変わり、モータ駆動時の移動速度が変化していく虞があった。
また、複数個を並べて使用する場合に、個々の移動速度が大きく異なると、セットの品位を損なうという問題があった。
【００１４】
従って、本発明は上記した問題点を解決し、モータ駆動時の移動速度や手動動作時の操作感触にバラツキが少なく、長期間にわたって品位を維持することができるモータ駆動式スライド型可変抵抗器を提供することを目的とする。
【課題を解決するための手段】
【００１５】
上記課題を解決するために本発明では第１の解決手段として、一端にモータが取り付けられた板状部を有する枠体と、前記モータの回転軸に結合されたギヤ部を有する駆動プーリと、前記枠体の他端に回転可能に配設された従動プーリと、前記駆動プーリと従動プーリとの間に張架され、前記ギヤ部と噛み合う歯部を有する環状のベルトと、このベルトに結合された移動体が前記モータの回転に伴って前記枠体の長手方向に移動することにより抵抗値が調整されるように前記枠体に取り付けられた可変抵抗器部とを備え、前記枠体は、前記板状部と略直交して前記移動体の移動方向に延びる側壁を有すると共に、前記枠体の他端には、該枠体の長手方向に移動可能な可動部材が設けられ、前記可動部材は、前記枠体の板状部に重ねられる板状の積層部と前記枠体の側壁により案内されるガイド部とを有し、前記ガイド部は、前記積層部と略直交する板状に形成され、前記枠体に形成されたスリットに挿通されて前記枠体の長手方向に案内され、前記積層部には、前記従動プーリを回転可能に軸支する支柱が固定されると共に、前記支柱の固定位置とは異なる位置にネジにより固定される取付部が形成され、前記積層部が前記板状部の長手方向に沿って長くなるように該板状部に形成された貫通部を介して前記ネジにより前記板状部に固定された構成とした。
【００１７】
また、第２の解決手段として、前記可動部材は金属板からなり、この金属板を折り曲げ加工することにより前記積層部と前記ガイド部を形成し、前記可動部材の積層部には、前記ネジを取り付けるための前記取付部としてのネジ溝部を設け、前記枠体の板状部を挟んで前記ネジを前記ネジ溝部に締め付けたときに、前記ガイド部が前記枠体の側壁側に押し付けられるように、前記ガイド部を前記側壁と前記ネジ溝部との間に位置させた構成とした。
また、第３の解決手段として、前記支柱により前記可動部材に軸支される前記従動プーリは、前記支柱が挿通されて回転可能に支持される筒状の軸部と、この軸部よりも大きな径を有し、前記ベルトが外周部に張架される筒状のベルト張架部とを備え、このベルト張架部の内周部と前記支柱との間に互いの当接を防止する空間部を設けた構成とした。
【発明の効果】
【００１８】
上述したように、本発明のモータ駆動式スライド型可変抵抗器は、一端にモータが取り付けられた板状部を有する枠体と、モータの回転軸に結合されたギヤ部を有する駆動プーリと、枠体の他端に回転可能に配設された従動プーリと、駆動プーリと従動プーリとの間に張架され、ギヤ部と噛み合う歯部を有する環状のベルトと、ベルトに結合された移動体がモータの回転に伴って枠体の長手方向に移動することにより抵抗値が調整されるように枠体に取り付けられた可変抵抗器部とを備え、枠体の他端には、枠体の長手方向に移動可能な可動部材を設け、可動部材に従動プーリを回転可能に軸支する支柱を固定すると共に、支柱の可動部材への固定位置とは異なる位置に取付部を形成し、取付部で可動部材を枠体に取り付けたことから、支柱の可動部材への固定位置とは異なる位置で、可動部材を枠体に取り付けているので、その取り付けが、従動プーリの回転に起因して緩むことはなく、初期状態でベルトのテンションを調整して可動部材を枠体に取り付けることによって、移動速度や操作感触等のバラツキを少なくできて、長期間にわたって高品位を保つことができる。
【００１９】
また、枠体は、板状部と略直交して移動体の移動方向に延びる側壁を有すると共に、可動部材には、枠体の板状部に重ねられる板状の積層部と枠体の側壁により案内されるガイド部を設けたことから、可動部材のガイド部を枠体の側壁に案内させて、ベルトのテンションを調整できるので、スムーズに可動部材を移動させて枠体に取り付けることができる。
また、ガイド部は、積層部と略直交する板状に形成されると共に、枠体には、ガイド部を挿通可能なスリットが設けられ、スリットによりガイド部を案内して枠体の長手方向に移動可能としたことから、スリットにより、可動部材のガイド部を枠体の長手方向に案内できるので、ベルトのテンションを調整する際の作業性を一層向上させることができると共に、移動体の移動方向とベルトの張りとの傾きが少ないものとすることができる。
また、可動部材の積層部にネジにより固定される取付部を設けると共に、枠体の板状部にはネジを挿通可能な貫通部を設け、積層部をネジにより貫通部を介して板状部に固定したことから、ネジの締め付け位置を貫通部で調整することができ、容易にテンションを調整できるので、可動部材を枠体に簡単に固定することができる。
【００２０】
また、可動部材は金属板からなり、金属板を折り曲げ加工することにより積層部とガイド部を形成し、可動部材の積層部には、ネジを取り付けるためのネジ溝部を設け、枠体の板状部を挟んでネジをネジ溝部に締め付けたときに、ガイド部が枠体の側壁側に押し付けられるように、ガイド部を側壁とネジ溝部との間に位置させたことから、ネジを締め付けたときに、ガイド部が枠体の側壁部に押し付けられて可動部材が動きにくくなり、調整したテンションを維持して可動部材を枠体に固定することができる。
また、支柱により可動部材に軸支される従動プーリは、支柱が挿通されて回転可能に支持される筒状の軸部と、軸部よりも大きな径を有し、ベルトが外周部に張架される筒状のベルト張架部とを備え、ベルト張架部の内周部と支柱との間に互いの当接を防止する空間部を設けたことから、従動プーリのベルト張架部と支柱との間に大きな空間を設けるようにしたので、ベルトが停止した際の衝撃が従動プーリを介して支柱に伝わり、支柱の固定部（カシメ部）が緩むのを防止することができる。
【発明を実施するための最良の形態】
【００２１】
以下、本発明の実施の形態を図１乃至図１０に示す。図１は本発明のモータ駆動式スライド型可変抵抗器を示す斜視図、図２は本発明のモータ駆動式スライド型可変抵抗器を示す分解斜視図、図３は本発明のモータ駆動式スライド型可変抵抗器のモータ側の拡大斜視図、図４は本発明のモータ駆動式スライド型可変抵抗器のモータ側の拡大分解斜視図、図５は本発明のモータ駆動式スライド型可変抵抗器の従動プーリ側の拡大斜視図、図６は本発明のモータ駆動式スライド型可変抵抗器の従動プーリ側の拡大分解斜視図、図７は本発明のモータ駆動式スライド型可変抵抗器のモータ側に移動した状態の移動体と可変抵抗器部の説明図、図８は本発明のモータ駆動式スライド型可変抵抗器の従動プーリ側に移動した状態の移動体と可変抵抗器部の説明図、図９は本発明のモータ駆動式スライド型可変抵抗器の可動部材と従動プーリと支柱との取り付け状態を示す説明図、図１０は本発明のモータ駆動式スライド型可変抵抗器の可動部材と従動プーリと支柱との取り付け状態の他の実施例を示す説明図である。
【００２２】
図１及び図２において、本発明のモータ駆動式スライド型可変抵抗器は、板状部を有し略コ字状に折り曲げられて形成された金属板からなる枠体１と、この枠体１の一端側に取り付けられたモータ２と、このモータ２の回転軸に結合された駆動プーリ３と、枠体１の他端側に配設された可動部材４と、この可動部材４に軸支された従動プーリ５と、駆動プーリ３と従動プーリ５との間に張架された環状のベルト６と、このベルト６に結合された移動体７と、この移動体７がモータ２の回転に伴って枠体１の長手方向に移動することにより抵抗値が調整されるように枠体１に取り付けられた可変抵抗器部８とから主に構成されている。
【００２３】
枠体１は、金属板を打ち抜き折り曲げて断面が略コ字状の長尺状に形成されており、中央に平板状の板状部１ａを有し、この板状部１ａの長手方向に沿った両側部には板状部１ａと略直交して互いに対向する一対の側壁１ｂ、１ｂを有している。また、一対の側壁１ｂ、１ｂの上面側の両側には、丸孔１ｄを有する一対の架橋部１ｃ、１ｃが設けられている。
【００２４】
また、板状部１ａ中央には、長手方向に延設された矩形状の長窓孔１ｅが設けられており、この長窓孔１ｅに後述する可変抵抗器部８のレバー１４ａが挿通され、長手方向に移動可能に配設されるものとなっている。また、図４に示すように長窓孔１ｅの一端側には、長窓孔１ｅに隣接して下方へ折り曲げ形成されたＴ字状の取付片１ｆが設けられており、また、図６に示すように長窓孔１ｅの他端側には、長窓孔１ｅ内の下方へ折り曲げ形成された、同じくＴ字状の取付片１ｇが設けられている。
【００２５】
そして、これら取付片１ｆ、１ｇは、後述する可変抵抗器部８の金属ケース１３の上面側に設けられた、一対の取付用のＴ字孔１３ｂ、１３ｂに挿入されるものとなり、互いのＴ字状の広幅部分が挿入された後、枠体１が長手方向に若干スライド移動されて（図２の右方向）、互いのＴ字状の細幅部分同士が係合された後、板状部１ａの他端部に設けられた係止片１ｈの自由端側を、図示はしないが下方へ折り曲げることにより、取付片１ｆ、１ｇとＴ字孔１３ｂ、１３ｂとが互いに嵌合した状態で、枠体１と可変抵抗器部８とが上下左右に抜け止めされて一体的に係合されるものとなっている。
【００２６】
また、図３及び図４に示すように、枠体１の板状部１ａの一端側には、モータ２の取付用としての、回転軸２ａを挿通するやや大きめの丸穴１ｉと、ネジ止め用のやや小さめの一対の丸穴１ｊ、１ｊとが設けられており、丸穴１ｉにモータ２の回転軸２ａが挿通されて、丸穴１ｊ、１ｊを介してネジ９が締め付けられることによりモータ２が枠体１に取り付けられている。
【００２７】
また、モータ２の回転軸２ａには、合成樹脂等の絶縁材からなり、円柱状の外周部に凹凸状のギヤ部３ａを有する駆動プーリ３が接着あるいは圧入等の方法で結合されている。また、駆動プーリ３の上側には、円柱状で同じく合成樹脂等の絶縁材からなるスペーサ１０が回転軸２ａに接着あるいは圧入等の方法で結合されている。このスペーサ１０は、ギヤ部３ａに噛み合うように張架される環状のベルト６がギヤ部３ａから外れるのを防止する抜け止め部材となっている。
【００２８】
また、図５及び図６に示すように、枠体１の板状部１ａの他端側には、やや大きめの長孔１ｋと、やや小さめの長孔１ｌが設けられている。そして、これら長孔１ｋ、１ｌは、板状部の長手方向に沿って長くなるように形成された貫通部となっており、これら貫通部は、板状部の長手方向に沿って長く切り欠かれた切り欠きによって構成したものでもよい。この場合、貫通部たる長孔１ｋとは、従動プーリ５の筒状の下部を挿通可能なものであり、貫通部たる長孔１ｌは、ネジ１２のネジ山部を挿通可能であり、かつ、長孔１ｌの短手方向寸法がネジ１２の頭部よりも小さく設定されている。また、長窓孔１ｅの他端側で係止片１ｈが設けられた側とは反対側、すなわち、長孔１ｌが設けられた側の板状部１ａと側壁１ｂとの連設部には、長溝からなるスリット１ｍが設けられている。
【００２９】
可動部材４は、金属板を打ち抜き折り曲げて形成されており、枠体１の板状部１ａに重ねられる板状の積層部４ａと、この積層部４ａの一側部から直角方向に折り曲げられた連結部４ｂと、この連結部４ｂの先端側に積層部４ａの上面側よりも突出する方向に延設され、積層部４ａと略直交する板状で略Ｌ字状に設けられたガイド部４ｃとを有している。
【００３０】
また、板状の積層部４ａには、連結部４ｂから離れた端部側に従動プーリ５を回転可能に軸支する支柱１１が嵌合される嵌合孔４ｄが設けられ、また、積層部４ａの連結部４ｂ寄りには、可動部材４をネジ１２により枠体１に固定するネジ溝部４ｅからなる取付部が設けられている。尚、この場合、嵌合孔４ｄとネジ溝部４ｅは、枠体１の板状部１ａに設けられた長孔１ｋと長孔１ｌにそれぞれ対応する位置に形成されている。
【００３１】
可動部材４は、Ｌ字状のガイド部４ｃが枠体１のスリット１ｍに挿通されて枠体１の板状部１ａの下面側に配設され、このガイド部４ｃがスリット１ｍ及び側壁１ｂにより案内されて、枠体１の他端部で枠体１の長手方向に所定の範囲で移動可能となっている。また、可動部材４の嵌合孔４ｄには、枠体１の長孔１ｋを介して金属材からなる支柱１１が鳩目かしめ等の手段により固着されており、この支柱１１に、合成樹脂等の絶縁材からなり、円柱状の外周部に凹状のベルト受部５ａを有する従動プーリ５が挿入され、従動プーリ５が支柱１１に回転可能に軸支されている（図９参照）。
【００３２】
そして、可動部材４は、ネジ１２が枠体１の長孔１ｌを介してネジ溝部４ｅに締め付けられることにより枠体１の他端側に固定されるものとなっている。すなわち、支柱１１の可動部材４への固定位置である嵌合孔４ｄとは異なる位置に、ネジ溝部４ｅからなる取付部を形成し、この取付部で可動部材４を枠体１にネジ１２により締め付けることにより、可動部材４が枠体１に取り付けられるものとなっている。
【００３３】
このように、本実施例では、可動部材４は、枠体１の板状部１ａに重ねられる板状の積層部４ａを有しており、この積層部４ａにネジ１２により固定される取付部となるネジ溝部４ｅを設けると共に、板状部１ａにこのネジ１２を挿通可能な長孔１ｌ等からなる貫通部を設けて、積層部４ａをネジ１２により長孔１ｌ等の貫通部を介して板状部１ａに固定するようにしてあるので、ネジ１２の締め付け位置を長孔１ｌ等の貫通部の長手方向における貫通部（孔内）の範囲で調整することができるようになっている。
【００３４】
したがって、支柱１１に軸支された従動プーリ５の位置を、可動部材４と共に枠体１の板状部１ａの長手方向に移動（微調整）できることから、駆動プーリ３と従動プーリ５との間に張架される、後述する環状のベルト６のテンションを容易に調整できるものとなっている。
また、このとき可動部材４には、枠体１の側壁１ｂにより案内されるガイド部４ｃが設けられており、この可動部材４のガイド部４ｃを枠体１の側壁１ｂに案内させて、ベルト６のテンションを調整できるので、スムーズに可動部材４を移動させて枠体１に取り付けることができるものとなっている。
【００３５】
また、枠体１には、ガイド部４ｃを挿通可能なスリット１ｍが設けられており、このスリット１ｍにより、可動部材４のガイド部４ｃを枠体１の長手方向に案内できるので、ベルト６のテンションを調整する際の作業性を一層向上させることができると共に、可動部材４に軸支された従動プーリ５の傾きを抑制できるので、後述するベルト６に結合された移動体７の移動方向とベルト６の張りとの傾きを少なくすることができるものとなっている。
【００３６】
また、本実施例では、可動部材４に設けられたガイド部４ｃが、枠体１の側壁１ｂと、ネジ溝部４ｅとの中間位置に位置するように形成されていることから、可動部材４を、枠体１の板状部１ａを挟んでネジ１２によりネジ溝部４ｅに締め付けるようにしたときに、ネジ１２が時計方向（図５、図６における図示右回り方向）に回転されるので、ガイド部４ｃが枠体１の側壁１ｂに押し付けられるような力が作用するものとなっている。
このため、ネジ１２を締め付けたときに、ガイド部４ｃが枠体１の側壁１ｂに押し付けられて可動部材４が動きにくくなり、調整したテンションを維持して可動部材４を枠体１に固定することができるものとなっている。
【００３７】
駆動プーリ３と従動プーリ５との間には、可撓性の合成樹脂材やゴム材等からなる環状のベルト６が張架されている。また、このベルト６の内周には、駆動プーリ３のギヤ部３ａと噛み合う複数の歯部６ａが形成されており、また、ベルト６の所定箇所には、合成樹脂等の絶縁材からなる移動体７が結合されている。そして、ベルト６は、一端側が駆動プーリ３のギヤ部３ａと歯部６ａが噛み合うと共に、他端側が従動プーリ５の凹状のベルト受部５ａに嵌合された状態で駆動プーリ３と従動プーリ５間に回動可能に張架されている。
【００３８】
移動体７は、ベルト６の歯部６ａに係合する係合部７ａと、この係合部７ａに対向する側に設けられたレバー支持部７ｂとを有している。この移動体７は、係合部７ａによりベルト６の所定箇所に結合されると共に、レバー支持部７ｂに後述する可変抵抗器部８のレバー１４ａが嵌合されて、ベルト６の回動に伴って、移動体７が枠体１の長手方向にスライド移動可能となり、この移動体７の移動に伴いレバー１４ａがスライド移動することで可変抵抗器部８の抵抗値が変化して出力信号の調整が行われるものとなっている。
【００３９】
可変抵抗器部８は、図７及び８に示すように、金属板等を折り曲げることにより矩形状の箱型に形成された金属ケース１３と、この金属ケース１３内の長手方向に橋渡された棒状の一対の金属シャフト１３ａ、１３ａと、この金属シャフト１３ａ、１３ａに摺動可能に保持された合成樹脂製の摺動子受１４と、この摺動子受１４の上面側に突出されたレバー１４ａと、摺動子受１４の一側面に設けられ、図示しない帯状の抵抗体及び集電体と摺接する導電性の薄板金属板からなる摺動子１５とから構成されている。
【００４０】
また、金属シャフト１３ａ、１３ａの長手方向の両端部には、ゴム材等の弾性材からなる緩衝部材であるストッパ１６が設けられており、モータ２の回転に伴って、摺動子受１４が一対の金属シャフト１３ａ、１３ａに案内されて、枠体１の長手方向の両端近傍までスライド移動した際に、このストッパ１６に摺動子受１４が当たることでその移動が停止されるようになっている。このストッパ１６により摺動子受１４の移動停止時の衝突音の発生を防止している。
【００４１】
この可変抵抗器部８は、金属ケース１３の上面側に設けられた一対の取付用のＴ字孔１３ｂ、１３ｂに、枠体１の板状部１ａに形成された一対の取付片１ｆ、１ｇが挿入されて、互いのＴ字状の広幅部分が挿入された後、枠体１が長手方向に若干スライド移動されて（図２の右方向）、互いのＴ字状の細幅部分同士が係合された後、板状部１ａの他端部に設けられた係止片１ｈを下方へ折り曲げることにより、取付片１ｆ、１ｇとＴ字孔１３ｂ、１３ｂとが互いに嵌合した状態で、枠体１と可変抵抗器部８とが上下左右に抜け止めされて一体的に係合されるものとなっている。
【００４２】
上記した本発明の実施例によれば、枠体１の他端に、枠体１の長手方向に移動可能な可動部材４を設け、この可動部材４に従動プーリ５を回転可能に軸支する支柱１１を固定すると共に、この支柱１１の可動部材４への固定位置とは異なる位置に枠体１との取付部であるネジ溝部４ｅを形成し、この取付部で可動部材４を枠体１に取り付けるようにしており、支柱１１の可動部材４への固定位置とは異なる位置で、可動部材４を枠体１に取り付けているので、その取り付けが、従動プーリ５の回転に起因して緩むことを抑制できるものとなる。
したがって、初期状態でベルト６を張架するテンションを調整して可動部材４を枠体１に取り付けることによって、動作を繰り返した後においてもベルト６及びレバー１４ａの移動速度や操作感触等のバラツキを少なくできて、長期間にわたって高品位を保つことができるものとなっている。
【００４３】
図１０は、可動部材４に軸支される従動プーリと支柱との取り付け状態の他の実施例を示している。
図において、ベルト６が張架される従動プーリ２０は、合成樹脂等の絶縁材からなり、円柱状の外周部に凹状のベルト受部２０ａを有する点では上記実施例と同じであるが、本実施例では、従動プーリ２０は、支柱２１が挿通されて回転可能に支持される細径で筒状の軸部２０ｂと、この軸部２０ｂよりも大きな径を有し、ベルト６が外周部に張架される筒状のベルト張架部２０ｃとを備えている。
【００４４】
また、ベルト張架部２０ｃの内周部には、やや大径からなる中空部２０ｄが設けられており、この中空部２０ｄを設けることにより、ベルト張架部２０ｃの内周部と、支柱２１の太径の頭部２１ａとの間には、互いの当接を防止するための空間部が設けられている。
【００４５】
ベルト６が張架される従動プーリ２０は、支柱２１が挿通されて可動部材４にカシメ等により固定されている。そして、可変抵抗器部８の摺動子受１４が金属ケース１３の末端まで移動して停止したとき、ベルト６の移動も止まり、この際の衝撃が従動プーリ２０を介して支柱２１に伝わるものとなる。
【００４６】
図９に示す上記実施例においては、この衝撃によって、支柱１１の固定部（カシメ部）が徐々に緩み、ガタを生じるおそれがあるが、本実施例においては、ベルト６が張架される部分における、従動プーリ２０のベルト張架部２０ｃの内周部と支柱２１との間に、大きな空間部となる中空部２０ｄを設け、ベルト６が停止したときに作用する、支柱２１と直交する方向の力が、支柱２１に及びにくいようにしたので、ベルト６が停止した際の衝撃が従動プーリ２０を介して支柱２１に伝わり、支柱２１の固定部（カシメ部）が緩むのを防止することができるものとなっている。
【００４７】
尚、上記実施例においては、可動部材４は枠体１の板状部１ａの下面側に配置して板状部１ａを介してネジ止めするようにしたが、可動部材４を板状部１ａの上面側に配置して板状部１ａの下面側からネジ止めするようにしても良い。
この場合に、ネジ止めの作業性を良好にするために、可動部材４の積層部４ａ側にネジを挿通可能な長孔や切り欠きからなる貫通部を設け、ネジ溝部を板状部１ａ側に設けるようにすれば上面側からのネジ止めが可能となる。そして、この形態の場合には、積層部４ａに設けた貫通部が、支柱１１の可動部材４への固定位置とは異なる位置に形成した取付部となる。また、可動部材４は金属板に限らず、合成樹脂等の材料で形成しても良い。さらに、可動部材４の積層部４ａ等にネジ溝部４ｅを形成する代わりに、別途、ナット等を用いてもよい。
【図面の簡単な説明】
【００４８】
【図１】本発明のモータ駆動式スライド型可変抵抗器を示す斜視図である。
【図２】本発明のモータ駆動式スライド型可変抵抗器を示す分解斜視図である。
【図３】本発明のモータ駆動式スライド型可変抵抗器のモータ側の拡大斜視図である。
【図４】本発明のモータ駆動式スライド型可変抵抗器のモータ側の拡大分解斜視図である。
【図５】本発明のモータ駆動式スライド型可変抵抗器の従動プーリ側の拡大斜視図である。
【図６】本発明のモータ駆動式スライド型可変抵抗器の従動プーリ側の拡大分解斜視図である。
【図７】本発明のモータ駆動式スライド型可変抵抗器のモータ側に移動した状態の移動体と可変抵抗器部の説明図である。
【図８】本発明のモータ駆動式スライド型可変抵抗器の従動プーリ側に移動した状態の移動体と可変抵抗器部の説明図である。
【図９】本発明のモータ駆動式スライド型可変抵抗器の可動部材と従動プーリと支柱との取り付け状態を示す説明図である。
【図１０】本発明のモータ駆動式スライド型可変抵抗器の可動部材と従動プーリと支柱との取り付け状態の他の実施例を示す説明図である。
【図１１】従来のモータ駆動式スライド型可変抵抗器を示す斜視図である。
【図１２】従来のモータ駆動式スライド型可変抵抗器の従動プーリ取付け部を示す断面図である。
【図１３】従来の他の構成となる従動プーリ取付け部を示す斜視図である。
【符号の説明】
【００４９】
１：枠体
１ａ：板状部
１ｂ：側壁
１ｃ：架橋部
１ｄ：丸孔
１ｅ：長窓孔
１ｆ：取付片
１ｇ：取付片
１ｈ：係止片
１ｉ：丸穴
１ｊ：丸穴
１ｋ：長孔（貫通部）
１ｌ：長孔（貫通部）
１ｍ：スリット
２：モータ
２ａ：回転軸
３：駆動プーリ
３ａ：ギヤ部
４：可動部材
４ａ：積層部
４ｂ：連結部
４ｃ：ガイド部
４ｄ：嵌合孔
４ｅ：ネジ溝部（取付部）
５：従動プーリ
５ａ：ベルト受部
６：ベルト
６ａ：歯部
７：移動体
７ａ：係合部
７ｂ：レバー支持部
８：可変抵抗器部
９：ネジ
１０：スペーサ
１１：支柱
１２：ネジ
１３：金属ケース
１３ａ：金属シャフト
１４：摺動子受
１４ａ：レバー
１５：摺動子
１６：ストッパ
２０：従動プーリ
２０ａ：ベルト受部
２０ｂ：軸部
２０ｃ：ベルト張架部
２０ｄ：中空部
２１：支柱
２１ａ：頭部
【図１】
0004667986.tif 000002
【図２】
0004667986.tif 000003
【図３】
0004667986.tif 000004
【図４】
0004667986.tif 000005
【図５】
0004667986.tif 000006
【図６】
0004667986.tif 000007
【図７】
0004667986.tif 000008
【図８】
0004667986.tif 000009
【図９】
0004667986.tif 000010
【図１０】
0004667986.tif 000011
【図１１】
0004667986.tif 000012
【図１２】
0004667986.tif 000013
【図１３】
0004667986.tif 000014